(57)【特許請求の範囲】
【請求項１】
底面部と、該底面部に対して起立した４つの側壁部とからなり、該４つの側壁部からなる側面によって囲まれた領域が収納空間となる収納容器であって、
前記側面の角部にて前記４つの側壁部のうち少なくとも１つに、前記収納空間に対向しないように非接触型情報記録媒体が取り付けられている収納容器。
【請求項２】
請求項１に記載の収納容器において、
前記４つの側壁部は、前記底面部に対して折り畳み可能に構成されている収納容器。
【請求項３】
請求項２に記載の収納容器において、
前記非接触型情報記録媒体は、前記４つの側壁部のうち折り畳み状態にて最上面となる側壁部に取り付けられている収納容器。
【発明の詳細な説明】
【技術分野】
【０００１】
本発明は、物品を収納する収納容器に関し、特に、底面部とこの底面部に対して起立した４つの側壁部とからなり、４つの側壁部によって囲まれた領域が収納空間となる収納容器に関する。
【背景技術】
【０００２】
従来より、物品を搬送したり保管したりする場合、合成樹脂等から製造された収納容器が用いられている。このような収納容器としては、上面が開放された直方体形状のものが多く用いられており、さらには、オリコンと呼ばれる折り畳み可能な収納容器が使い勝手がよいものとして様々な用途で用いられている。
【０００３】
このような収納容器に物品を収納し、物品を搬送したり保管したりする場合、収納された物品を管理するために、バーコードや識別番号等のような物品を管理するための識別情報が記載されたラベルを収納容器の側壁部に貼付することが行われている。側壁部に貼付されたラベルに記載された識別情報とこの収納容器に収納される物品の名称とを対応づけて管理しておけば、その後、ラベルに記載された識別情報を読み取るだけで、収納容器に収納された物品を識別することができ、さらには、物品の搬送状況や保管状況をこの識別情報に対応づけて管理することができる。
【０００４】
また、近年においては、非接触状態にて情報の書き込み及び読み出しが可能な非接触型ＩＣタグや非接触型ＩＣラベルといった非接触型情報記録媒体を収納部材の側壁部に取り付けておき、この非接触型情報記録媒体に対する情報の書き込みや読み出しを行うことにより、収納容器に収納された物品を管理する技術が考えられている（例えば、特許文献１参照。）。このように、非接触型情報記録媒体を用いた場合、非接触型情報記録媒体には情報を書き込むことができるとともに、一度に複数の非接触型情報記録媒体から情報を読み出すことができるため、物品管理のための処理能力及び処理効率を格段に向上させることができる。
【特許文献１】特開平９−３０１３７５号公報
【発明の開示】
【発明が解決しようとする課題】
【０００５】
上述したような非接触型情報記録媒体においては、近年、２．４５ＧＨｚ帯やＵＨＦ帯の周波数にて情報の書き込み及び読み出しが可能な微細なＩＣチップを用いたものが実用化されている。この非接触型情報記録媒体は、情報書込／読出装置にて発生した電波に共振して電流が流れることにより情報の書き込みや読み出しが行われるものであり、ＩＣチップに導電性のアンテナを接続することにより、ＩＣチップの通信可能距離を延ばすことができる。
【０００６】
ところが、このような非接触型情報記録媒体を上述したような収納容器の側壁部に取り付けた場合、収納容器に電磁波（３００ＭＨｚ以上）遮断物質、例えば水や水分の多い物質等が収納されると、水等の物質は電波を吸収して遮断する働きをすることから、水が収納された収納空間側から非接触型情報記録媒体に対する情報の書き込み及び読み出しを行うことができなくなり、それにより、収納容器の側面方向において非接触型情報記録媒体に対する情報の書き込み及び読み出しを行うことができる方向が制限されてしまうという問題点がある。
【０００７】
本発明は、上述したような従来の技術が有する問題点に鑑みてなされたものであって、非接触型情報記録媒体が取り付けられ、かつ、収納容器の側面方向において方向が制限されることなく非接触型情報記録媒体に対する情報の書き込み及び読み出しを行うことができる収納容器を提供することを目的とする。
【課題を解決するための手段】
【０００８】
上記目的を達成するために本発明は、
底面部と、該底面部に対して起立した４つの側壁部とからなり、該４つの側壁部からなる側面によって囲まれた領域が収納空間となる収納容器であって、
前記側面の角部にて前記４つの側壁部のうち少なくとも１つに、前記収納空間に対向しないように非接触型情報記録媒体が取り付けられている。
【０００９】
上記のように構成された本発明においては、収納空間に収納容器に電磁波（３００ＭＨｚ以上）遮断物質、例えば水や水分の多い物質等を収納した場合、非接触型情報記録媒体は、収納空間を形成する４つの側壁部のうち収納空間に対向していない領域に設けられているため、水等の物質には対向しないことになる。そのため、収納容器の側面方向のどの方向から情報の書き込み及び読み出しを行った場合であっても、情報書込／読出装置やこれに接続された情報書込／読出用のアンテナと非接触型情報記録媒体との間に水が介在することはなく、情報の書き込み及び読み出しが可能となる。
【００１０】
また、４つの側壁部が底面部に対して折り畳み可能に構成されているものにおいては、４つの側壁部のうち折り畳み状態にて最上面となる側壁部に非接触型情報記録媒体を設ければ、側壁部が金属からなるものである場合でも情報の書き込み及び読み出しが可能となる。
【発明の効果】
【００１１】
以上説明したように本発明においては、非接触型情報記録媒体が、収納空間を形成する４つの側壁部のうち収納空間に対向しない領域に設けられているため、収納空間に収納容器に電磁波（３００ＭＨｚ以上）遮断物質、例えば水や水分の多い物質等が収納された場合においても、収納容器の側面方向において方向が制限されることなく非接触型情報記録媒体に対する情報の書き込み及び読み出しを行うことができる。
【発明を実施するための最良の形態】
【００１２】
以下に、本発明の実施の形態について図面を参照して説明する。
【００１３】
図１は、本発明の収納容器の実施の一形態を示す図であり、（ａ）は外観斜視図、（ｂ）は上面図である。
【００１４】
本形態は図１に示すように、長方形の底面部２０上の４辺に沿う領域に、４つの側壁３０ａ〜３０ｄが起立した状態で折り部３１ａ〜３１ｄを介して折り畳み可能に配置されて構成されている。４つの側壁３０ａ〜３０ｄは、側壁３０ｃ，３０ｄの端面が側壁３０ａ，３０ｂに突き当たるように配置され、公知の固定部材４０によって互いに係合、固定されている。この４つの側壁３０ａ〜３０ｄによって囲まれた空間が、物品が収納される収納空間となる。また、固定部材４０によって４つの側壁３０ａ〜３０ｄが係合、固定された場合、側壁３０ａ〜３０ｄどうしが重なり合う角部３２ａ〜３２ｄは、側壁３０ａ〜３０ｄの肉厚によって、収納空間に対向しないようになる。さらに、４つの側壁３０ａ〜３０ｄのうち１つの側壁３０ａの角部３２ａとなる領域に、非接触状態にて情報の書き込み及び読み出しが可能な非接触型情報記録媒体であるＩＣタグ１０が取り付けられている。なお、ＩＣタグ１０の側壁３０ａへの取り付けは、ＩＣタグ１０をラベルとして側壁３０ａに貼付することや、側壁３０ａにＩＣタグ１０を内蔵すること等が考えられる。
【００１５】
図２は、図１に示したＩＣタグ１０の構成を示す図であり、（ａ）は上面図、（ｂ）は（ａ）に示したＡ−Ａ’断面図である。
【００１６】
図１に示したＩＣタグ１０は図２に示すように、ベース基材１３上に、互いに空隙を有して直線状に並ぶように形成された２つの棒状の導電部１２ａ，１２ｂからなるアンテナ部１２が配置され、この２つの導電部１２ａ，１２ｂに接続されるように、アンテナ部１２を介して非接触状態にて情報の書き込み及び読み出しが可能なＩＣチップ１１が搭載されて構成されている。
【００１７】
上記のように構成されたＩＣタグ１０においては、外部に設けられた情報書込／読出装置（不図示）やこれに接続された情報書込／読出用のアンテナに近接させることにより、情報書込／読出装置にて発生した電波にアンテナ部１２が共振し、この共振によってアンテナ部１２に電流が流れ、この電流がＩＣチップ１１に供給され、それにより、非接触状態において、情報書込／読出装置からＩＣチップ１１に情報が書き込まれたり、ＩＣチップ１１に書き込まれた情報が情報書込／読出装置にて読み出されたりする。
【００１８】
以下に、上記のように構成された収納容器１の使用方法について説明する。
【００１９】
図３は、図１に示した収納容器１の使用方法の一例を説明するための図であり、（ａ）は使用状態における外観斜視図、（ｂ）は上面図である。
【００２０】
図３に示すように、本例においては、収納容器１の収納空間に水２が収納されている。収納容器１においては、側壁３０ａの角部３２ａとなる領域にＩＣタグ１０が取り付けられているため、ＩＣタグ１０は、収納容器１の収納空間に収納された水２には対向していない。
【００２１】
このように水２が収納された収納容器１は、ＩＣタグ１０に対して情報が書き込まれたり、情報が読み出されたりすることによって、保管状況や搬送状況が管理されることになる。
【００２２】
図４は、図３に示したように収納容器１に水２が収納された場合にＩＣタグ１０に対する情報の書き込み及び読み出しを行う際の状態を示す図である。
【００２３】
図３に示したように収納空間に水２が収納された収納容器１を管理する場合、側壁３０ａに取り付けられたＩＣタグ１０に対して、収納容器１の側面方向に情報書込／読出装置あるいはそれに接続された情報書込／読出用のアンテナを配置し、情報を書き込んだり、情報を読み出したりする。側壁３０ａが配置された方向、すなわち、図３中Ａ方向から情報の書き込みや読み出しを行う場合、情報書込／読出装置あるいはそれに接続された情報書込／読出用のアンテナとＩＣタグ１０との間には、収納容器１に収納された水２が介在しない。また、側壁３０ｂが配置された方向、すなわち、図３中Ｂ方向から情報の書き込みや読み出しを行う場合においても、情報書込／読出装置あるいはそれに接続された情報書込／読出用のアンテナとＩＣタグ１０との間には、収納容器１に収納された水２が介在しない。また、側壁３０ｃが配置された方向、すなわち、図３中Ｃ方向から情報の書き込みや読み出しを行う場合においても、情報書込／読出装置あるいはそれに接続された情報書込／読出用のアンテナとＩＣタグ１０との間には、収納容器１に収納された水２が介在しない。また、側壁３０ｄが配置された方向、すなわち、図３中Ｄ方向から情報の書き込みや読み出しを行う場合においても、情報書込／読出装置あるいはそれに接続された情報書込／読出用のアンテナとＩＣタグ１０との間には、収納容器１に収納された水２が介在しない。
【００２４】
このように、図１に示した収納容器１においては、４つの側壁３０ａ〜３０ｄによって囲まれた収納空間に対向しない領域にＩＣタグ１０が取り付けられているため、収納空間に水２が収納された場合に、ＩＣタグ１０は水２と対向せず、それにより、収納容器１の側面方向においてどの方向からもＩＣタグ１０に対する情報の書き込み及び読み出しを行うことができる。
【００２５】
以下に、図１に示した収納容器１が折り畳まれた際の作用について説明する。
【００２６】
図５は、図１に示した収納容器１が折り畳まれた状態を示す図である。
【００２７】
図１に示した収納容器１は、折り畳まれる場合、側壁３０ｃ，３０ｄの端面が側壁３０ａ，３０ｂに突き当たるように配置されているため、まず、図５（ａ）に示すように、ＩＣタグ１０が取り付けられた側壁３０ａ及びこれに対向する側壁３０ｂ以外の側壁３０ｃ，３０ｄが折り部３１ｃ，３１ｄを介して折り畳まれる。
【００２８】
次に、図５（ｂ）に示すように、ＩＣタグ１０が取り付けられた側壁３０ａ及びこれに対向する側壁３０ｂが折り部３１ａ，３１ｂを介して折り畳まれる。
【００２９】
すると、図５（ｂ）に示すように、ＩＣタグ１０が取り付けられた側壁３０ａが折り畳み状態における最上面となる。ここで、図２に示したような構成を有するＩＣタグ１０においては、ＩＣタグ１０に対して情報の書き込みや読み出しを行う情報書込／読出装置やそれに接続された情報書込／読出用のアンテナとの間に金属が介在すると、その金属によって情報書込／読出装置からの電波が遮断され、ＩＣタグ１０に対して情報の書き込みや読み出しを行うことができなくなってしまう。そのため、側壁３０ａ〜３０ｃが金属から構成されたものである場合、ＩＣタグ１０が金属から構成された側壁に覆われてしまうと、ＩＣタグ１０に対して情報の書き込みや読み出しを行うことができなくなってしまう。本形態においては、ＩＣタグ１０は、側壁３０ａ〜３０ｄの折り畳み状態にて最上面となる側壁３０ａに取り付けられているため、側壁３０ａ〜３０ｄが折り畳まれた場合に最上面に表出し、それにより、側壁３０ａ〜３０ｄが折り畳まれた状態においても、ＩＣタグ１０に対して情報の書き込みや読み出しを行うことができる。また、ＩＣタグ１０が最上面に表出するため、ＩＣタグ１０が取り付けられた位置を認識することができる。
【００３０】
（他の実施の形態）
図６は、本発明の収納容器の他の実施の形態を示す図であり、（ａ）は外観斜視図、（ｂ）は上面図である。
【００３１】
本形態は図６に示すように、長方形の底面部１２０上の４辺に沿う領域に、４つの側壁１３０ａ〜１３０ｄが起立した状態で折り部１３１ａ〜１３１ｄを介して折り畳み可能に配置されて構成されている。４つの側壁１３０ａ〜１３０ｄは、公知の固定部材１４０によって互いに係合、固定されており、この４つの側壁１３０ａ〜１３０ｄによって囲まれた空間が、物品が収納される収納空間となる。４つの側壁１３０ａ〜１３０ｄのうち対向する１組の側壁１３０ａ，１３０ｂは、底面部１２０に対して突出した形状となっており、それにより、他の組の側壁１３０ｃ，１３０ｄに対して収納空間とは反対側に突出した突出部１３３ａ，１３３ｂを有している。また、側壁１３０ａにおいては、非接触状態にて情報の書き込み及び読み出しが可能な非接触型情報記録媒体であるＩＣタグ１０が突出部１３３ａに取り付けられている。なお、ＩＣタグ１０の側壁１３０ａへの取り付けは、ＩＣタグ１０をラベルとして側壁１３０ａに貼付することや、側壁１３０ａにＩＣタグ１０を内蔵すること等が考えられる。
【００３２】
上記のように構成された収納容器１０１においては、ＩＣタグ１０が取り付けられた突出部１３３ａが、４つの側壁１３０ａ〜１３０ｄによって囲まれた収納空間に対向していないため、図１に示したものと同様に、収納空間に水が収納された場合であってもＩＣタグ１０が水に対向せず、それにより、収納容器１０１の側面方向においてどの方向からもＩＣタグ１０に対する情報の書き込み及び読み出しを行うことができる。
【００３３】
また、上述したようにＩＣタグ１０が取り付けられた側壁１３０ａ及びそれに対向する側壁１３０ｂが、側壁１３０ｃ，１３０ｄに対して収納空間とは反対側に突出しているため、側壁１３０ａ〜１３０ｄが折り畳まれる場合は、まず側壁１３０ｃ，１３０ｄが折り畳まれ、その後、側壁１３０ａ，１３０ｂが折り畳まれることになる。そのため、折り畳み状態では、ＩＣタグ１０が最上面に表出し、ＩＣタグ１０に対して情報の書き込みや読み出しを行うことができる。また、ＩＣタグ１０が最上面に表出するため、ＩＣタグ１０が取り付けられた位置を認識することができる。
【００３４】
図７は、本発明の収納容器の他の実施の形態を示す図であり、（ａ）は外観斜視図、（ｂ）は上面図である。
【００３５】
本形態は図７に示すように、長方形の底面部２２０の４辺の端面に、４つの側壁２３０ａ〜２３０ｄが底面部２２０に対して起立した状態で折り部２３１ａ〜２３１ｄを介して折り畳み可能に配置されて構成されている。４つの側壁２３０ａ〜２３０ｄは、公知の固定部材２４０によって互いに係合、固定されており、この４つの側壁２３０ａ〜２３０ｄによって囲まれた空間が、物品が収納される収納空間となる。また、側壁２３０ａ〜２３０ｄは、底面部２２０に沿う辺の長さが、それぞれ収納空間の辺の長さとなっており、それにより、４つの側壁２３０ａ〜２３０ｄは互いに重なり合うことはなく、端面がそれぞれ露出している。さらに、４つの側壁２３０ａ〜２３０ｄのうち１つの側壁２３０ａの端面に、非接触状態にて情報の書き込み及び読み出しが可能な非接触型情報記録媒体であるＩＣタグ１０が取り付けられている。側壁２３０ａの端面は、４つの側壁２３０ａ〜２３０ｄによって囲まれた収納空間に対向しない領域となるため、ＩＣタグ１０は収納空間には対向しない。なお、ＩＣタグ１０の側壁２３０ａへの取り付けは、ＩＣタグ１０をラベルとして側壁１３０ａに貼付すること等が考えられ、それにより、ＩＣタグ１０は、収納空間に対向していない。
【００３６】
上記のように構成された収納容器２０１においては、ＩＣタグ１０が、４つの側壁２３０ａ〜２３０ｄによって囲まれた収納空間に対向しない、側壁２３０ａの端面に取り付けられているため、図１に示したものと同様に、収納空間に水が収納された場合であってもＩＣタグ１０が水に対向せず、それにより、収納容器２０１の側面方向においてどの方向からもＩＣタグ１０に対する情報の書き込み及び読み出しを行うことができる。
【００３７】
また、この収納容器２０１の側壁２３０ａ〜２３０ｄが折り畳まれる場合に、まず側壁２３０ｃ，２３０ｄが折り畳まれ、その後、側壁２３０ａ，２３０ｂが折り畳まれるような構成とすれば、折り畳み状態において、ＩＣタグ１０が最上面に表出し、ＩＣタグ１０に対して情報の書き込みや読み出しを行うことができる。また、ＩＣタグ１０が最上面に表出するため、ＩＣタグ１０が取り付けられた位置を認識することができる。
【００３８】
なお、上述した３つの実施の形態を組み合わせて構成することも考えられる。例えば、図１及び図６に示したものにおいては、底面部２０，１２０上の４辺に沿う領域に４つの側壁３０ａ〜３０ｄ，１３０ａ〜１３０ｄが起立した状態で配置されているが、図１及び図６に示したものにおいて、図７に示したもののように、底面部の４辺の端面に、４つの側壁が底面部に対して起立した状態で配置された構成としてもよい。
【００３９】
また、上述した実施の形態においては、４つの側壁３０ａ〜３０ｄ，１３０ａ〜１３０ｄ，２３０ａ〜２３０ｄが折り部３１ａ〜３１ｄ，１３１ａ〜１３１ｄ，２３１ａ〜２３１ｄを介してそれぞれ折り畳み可能に構成されたものを例に挙げて説明したが、折り畳み可能なものでなくてもよい。
【００４０】
また、４つの側壁３０ａ〜３０ｄ，１３０ａ〜１３０ｄ，２３０ａ〜２３０ｄのうち１つの側壁にのみＩＣタグ１０が取り付けられた構成に限らず、複数の側壁にＩＣタグ１０が取り付けられた構成とすることも考えられる。その場合においても、ＩＣタグ１０は、４つの側壁３０ａ〜３０ｄ，１３０ａ〜１３０ｄ，２３０ａ〜２３０ｄによって囲まれた収納空間に対向しない領域に取り付けられる必要がある。このように複数の側壁にＩＣタグ１０が取り付けられた場合、それらＩＣタグ１０に同一の情報を書き込むことや、互いに異なる情報を書き込んでおき、情報を読み出す際にアンチコリジョン機能を用いてＩＣタグを識別することが考えられる。
【００４１】
また、底面部２０，１２０，２２０の形状については、上述したような長方形に限らず、正方形等であってもよい。
【００４２】
また、上述した収納容器１，１０１，２０１に取り付けられるＩＣタグ１０においては、図２に示したように、互いに空隙を有して直線状に並ぶように形成された２つの棒状の導電部１２ａ，１２ｂからなるアンテナ部１２がＩＣチップ１１に接続されたものに限らず、棒状の１つの導電部からなるアンテナ部がＩＣチップ１１に接続されたものであってもよく、また、導電部の形状は棒状でなくてもよい。
【００４３】
また、上述した実施の形態においては、収納容器の収納空間に水が収納された場合の作用について説明したが、本発明の収納容器は、収納容器に電磁波（３００ＭＨｚ以上）遮断物質、例えば水や水分の多い物質等が収納された場合に、上記同様の作用が生じる。
【図面の簡単な説明】
【００４４】
【図１】本発明の収納容器の実施の一形態を示す図であり、（ａ）は外観斜視図、（ｂ）は上面図である。
【図２】図１に示したＩＣタグの構成を示す図であり、（ａ）は上面図、（ｂ）は（ａ）に示したＡ−Ａ’断面図である。
【図３】図１に示した収納容器の使用方法の一例を説明するための図であり、（ａ）は使用状態における外観斜視図、（ｂ）は上面図である。
【図４】図３に示したように収納容器に水が収納された場合にＩＣタグに対する情報の書き込み及び読み出しを行う際の状態を示す図である。
【図５】図１に示した収納容器が折り畳まれた状態を示す図である。
【図６】本発明の収納容器の他の実施の形態を示す図であり、（ａ）は外観斜視図、（ｂ）は上面図である。
【図７】本発明の収納容器の他の実施の形態を示す図であり、（ａ）は外観斜視図、（ｂ）は上面図である。
【符号の説明】
【００４５】
１，１０１，２０１    収納容器
２    水
１０    ＩＣタグ
１１    ＩＣチップ
１２    アンテナ部
１２ａ，１２ｂ    導電部
１３    ベース基材
２０，１２０，２２０    底面部
３０ａ〜３０ｄ，１３０ａ〜１３０ｄ，２３０ａ〜２３０ｄ    側壁
３１ａ〜３１ｄ，１３１ａ〜１３１ｄ，２３１ａ〜２３１ｄ    折り部
３２ａ〜３２ｄ    角部
４０，１４０，２４０    固定部材
１３２ａ，１３２ｂ    突出部
【図１】
0004599289.tif 000002
【図２】
0004599289.tif 000003
【図３】
0004599289.tif 000004
【図４】
0004599289.tif 000005
【図５】
0004599289.tif 000006
【図６】
0004599289.tif 000007
【図７】
0004599289.tif 000008